(57)【要約】【課題】  携帯端末に取付けられたハンドストラップを挟み込んでしまうことを確実に防止できる携帯端末の充電台を提供する。【解決手段】  充電台１にはストラップ導入ステー１６が設けられている。携帯型コードリーダ２を充電台１に載置すると、ストラップ導入ステー１６が回動し、携帯型コードリーダ２に取付けられているハンドストラップ１５を充電台１の後方に誘い込まれる（図１（ａ）〜（ｃ））。ハンドストラップ１５は、携帯型コードリーダ２が充電台１に完全に載置された状態では、携帯型コードリーダ２の受電面部４と間で形成されたストラップ収容部２５の開口部２５ａを通じて外方に排出される（図１（ｄ））。【選択図】  図１
2007060823.tif 000002
【特許請求の範囲】
【請求項１】
携帯端末が所定のセット位置に載置された状態で当該携帯端末の受電面部に対して電気的に接触することにより充電する充電台において、
前記携帯端末が前記セット位置に載置されるのに応動して前記受電面部の一方の端部から他方の端部に向かって移動する移動手段と、
前記セット位置に載置された前記携帯端末の前記受電面部との間で前記移動手段の移動方向に向かって開口する開口部を形成するストラップ収容部とを備え、
前記移動手段は、前記携帯端末が前記セット位置に載置されるのに応動して移動する際に、前記携帯端末に取付けられたハンドストラップを前記受電面部の前記一方の端部から前記他方の端部に向かって誘い込み、前記携帯端末が前記セット位置に載置された状態では、前記ハンドストラップを前記ストラップ収容部の前記開口部を通じて外方に排出することを特徴とする携帯端末の充電台。
【請求項２】
前記移動手段は、
前記携帯端末が前記セット位置に載置される際に通過する通過経路と交差するように軸支された回動支持部と、
この回動支持部の先端に設けられ、前記回動支持部の回転に伴って前記携帯端末の通過経路全体と交差する移動部とを備え、
前記携帯端末が前記セット位置に載置されていない状態では、前記携帯端末が前記セット位置に載置される過程で前記移動部が前記受電面部の前記一方の端部に当接する初期位置に位置決めされていることを特徴とする携帯端末の充電台。
【請求項３】
前記ストラップ収容部の前記開口部は、後方に向かって開口していることを特徴とする請求項１または２記載の携帯端末の充電台。
【発明の詳細な説明】
【技術分野】
【０００１】
本発明は、携帯端末が所定のセット位置に載置された状態で当該携帯端末の受電面部に対して電気的に接触することにより充電する携帯端末の充電台に関する。
【背景技術】
【０００２】
移動通信機或いは情報読取端末などの携帯端末を充電する場合、携帯端末を充電台の所定のセット位置に載置した状態で充電するようにしている。
【特許文献１】特開２００２−１３５９８５号公報
【発明の開示】
【発明が解決しようとする課題】
【０００３】
ところで、携帯端末には落下防止用のハンドストラップが取付けられているのが一般的であることから、引用文献１のものでは、充電台のセット位置に対応した部位にストラップ収容溝を形成し、携帯端末が充電台に載置された状態では、携帯端末に取付けられたハンドストラップをストラップ収容溝に位置させることにより充電に支障を生じないように工夫している。
【０００４】
しかしながら、ハンドストラップは柔軟であると共に比較的長いことから、携帯端末を充電台のセット位置に単に載置した場合には、携帯端末と充電台との間にハンドストラップを挟み込んでしまうことがあり、充電不良を生じてしまう虞がある。
【０００５】
本発明は上記事情に鑑みてなされたもので、その目的は、携帯端末に取付けられたハンドストラップを挟み込んでしまうことを確実に防止できる携帯端末の充電台を提供することにある。
【課題を解決するための手段】
【０００６】
請求項１の発明によれば、携帯端末を充電台のセット位置に載置すると、携帯端末がセット位置に載置されるのに応動して、移動手段が携帯端末の受電面部の一方の端部から他方の端部に向かって移動するので、それに伴って、携帯端末に取付けられたハンドストラップが受電面部の一方の端部から他方の端部に向かって誘い込まれる。そして、携帯端末が充電台のセット位置に完全に載置された状態では、ハンドストラップは、ストラップ収容部の開口部を通じて外方に排出されるので、ハンドストラップが携帯端末と充電台との間に挟まれてしまうことを防止できる。
【０００７】
請求項２の発明によれば、移動手段をワイヤー状の部材で形成することができるので、移動手段の小形化及び軽量化を図ることができる。
請求項３の発明によれば、ハンドストラップを充電台の後方に排出することができるので、排出されたハンドストラップが邪魔になることはないと共に、見映えが悪化することもない。
【発明を実施するための最良の形態】
【０００８】
（第１実施例）
以下、本発明を携帯型コードリーダに適用した第１実施例について図１ないし図６を参照して説明する。
図２は携帯型コードリーダの正面図である。この図２において、充電台１には携帯型コードリーダ（携帯端末に相当）２が載置されており、携帯型コードリーダ２が載置された状態で商用交流電源３（図３参照）から携帯型コードリーダ２に充電するようになっている。つまり、充電台１及び携帯型コードリーダ２には受電面部４及び充電端子５（図１参照）がそれぞれ設けられおり、充電台１に携帯型コードリーダ２が載置された状態では、それらの受電面部４及び充電端子５同士が導通接触することにより携帯型コードリーダ２に対して充電が行われるようになっている。
また、充電台１及び携帯型コードリーダ２には光通信機能が設けられており、充電台１に携帯型コードリーダ２が載置された状態で当該携帯型コードリーダ２に記憶された読取情報が光通信により充電台１側に送信可能となっている。
【０００９】
図３は、充電台１及び携帯型コードリーダ２の電気的構成を概略的に示す機能ブロック図である。この図３において、充電台１は、電源回路６、通信制御回路９から構成されている。一方、携帯型コードリーダ２は、充電検出及び通信制御機能を有した制御部１０、警音部１１、通信回路１２、充電回路７、電源用の二次電池１３から構成されている。
【００１０】
充電台１において、通信制御回路９はパソコン１４と接続されており、携帯型コードリーダ２が読取ったコード情報をパソコン１４に送信するようになっている。
携帯型コードリーダ２において、充電回路７は、充電台１の電源回路６から充電端子５、受電面部４を通じての給電状態で二次電池１３に充電する。二次電池１３は図示しない電源スイッチがオンに切換えられた状態で携帯型コードリーダ２の内部回路に給電すると共に、電源スイッチのオンオフ状態にかかわらず充電されるようになっている。
【００１１】
制御部１０は、充電回路７による充電状態を監視しており、その充電状態を通信回路１２を通じて充電台１の通信制御回路９に送信する。また、制御部１０は、通信回路１２を通じて充電台１から通知された充電状態に基づいて充電開始したかを判断し、充電開始しなかったときは充電不良であると判断して警音部１１を駆動するようになっている。
【００１２】
ここで、携帯型コードリーダ２の基端部にはハンドストラップ１５（図１参照）が取付けられており、携帯型コードリーダ２により読取作業を行う場合は、そのハンドストラップ１５を手首に掛けて操作することにより落下防止を図ることができる。
【００１３】
一方、充電台１には、本発明に関連してストラップ導入ステー（移動手段に相当）１６が取付けられている。このストラップ導入ステー１６は、後述するように携帯型コードリーダ２に取付けられているハンドストラップ１５が充電台１との間に挟まってしまうことを防止するためのもので、以下、その構成について説明する。
【００１４】
図４は破断して示す充電台の正面面、図５は破断して示す充電台の側面図、図６は充電台１の平面図である。これらの図４ないし図６において、充電台１の中央には載置部１７が陥没形成されており、その載置部１７に一対の充電端子５が上方に突出して設けられている。載置部１７の周囲は壁面部１８で囲繞されている。壁面部１８において、載置部１７の前面となる前壁面部１８ａの中間にはスリット部１９が形成されている。載置部１７には一段低くなった溝部２０が後方に向かって形成されている。この溝部２０は、後述するように携帯型コードリーダ２に取付けられたハンドストラップ１５が位置すると共に、ストラップ導入ステー１６の先端が位置するためのものである。
【００１５】
壁面部１８において載置部１７の後面となる後壁面部１８ｂの中間にはスリット部２１が形成されている。このスリット部２１は、後述するように携帯型コードリーダ２に取付けられたハンドストラップ１５が位置するためのものである。後壁面部１８ｂにおいてスリット部２１で分断された両側の部位には後壁面部１８ｂの上面よりも一段低い段部２２が形成されていると共に、その段部２２よりもさらに低い底面を有する溝部２３が形成されており、その溝部２３が載置部１７に形成された溝部２０に面一に連結している。
【００１６】
ストラップ導入ステー１６は、コ字形状に形成されたワイヤー状のスプリング部材からなり、その基端部１６ａが段部２２に固定されたブラケット２４のシャフト２４ａに巻回された状態で回動防止が図られている。基端部１６ａから延びる回動支持部１６ｂの先端に移動部１６ｃが設けられており、通常状態においては、図５に示すように水平方向を指向する初期位置に位置している。このストラップ導入ステー１６は、下側方向の力が作用した場合は、シャフト２４ａを中心として下側方向に回動すると共に、下側方向の力が解除されると、弾性力により元の初期位置に復帰するようになっている。
【００１７】
次に、上記構成の作用について説明する。
携帯型コードリーダ２を充電台１に載置して充電するときは、図１（ａ）に示すように携帯型コードリーダ２の端部に取付けられているハンドストラップ１５を充電台１の後壁面部１８ｂの中間に形成されたスリット部２１に位置させた状態で載置部１７に載置する。このとき、携帯型コードリーダ２が載置部１７に載置される過程で、同図（ｂ）に示すようにストラップ導入ステー１６が携帯型コードリーダ２の受電面部４の一方の端部に当接する。
【００１８】
携帯型コードリーダ２の充電台１に対する載置を継続すると、ストラップ導入ステー１６の回動支持部１６ｂが携帯型コードリーダ２に押されて水平方向の初期位置から下方向に回動し、携帯型コードリーダ２の通過経路と交差するようになる。すると、ストラップ導入ステー１６の移動部１６ｃは、図１（ｃ）に示すように携帯型コードリーダ２の通過経路全体を交差するのに伴って携帯型コードリーダ２の受電面部４の一方の端部から他方の端部に向かって移動するようになる。これにより、携帯型コードリーダ２の端部に取付けられているハンドストラップ１５は、ストラップ導入ステー１６の移動に伴って充電台１の後方に向かって誘い込まれるようになる。
【００１９】
そして、携帯型コードリーダ２が載置部１７に完全に載置された状態（所定のセット位置に載置された状態）では、図１（ｄ）に示すようにストラップ導入ステー１６が受電面部４の他方の端部まで移動して載置部１７に形成された溝部２０に位置するようになるので、携帯型コードリーダ２に取付けられたハンドストラップ１５はストラップ導入ステー１６により完全に誘い込まれた状態となっている。このような状態では、充電台１の充電端子５が携帯型コードリーダ２の受電面部４に接触するので、携帯型コードリーダ２への充電が開始すると共に、携帯型コードリーダ２が収集したデータが充電台１との間の光通信によりパソコン１４に送信されるようになる。
【００２０】
ここで、携帯型コードリーダ２を充電台１の載置部１７に完全に載置した状態では、携帯型コードリーダ２の受電面部４と充電台１の載置部１７の溝部２０との間にストラップ収容部２５（図１（ｄ）参照）が形成される。このストラップ収容部２５には充電台１の後方を臨む開口部２５ａが形成されており、ハンドストラップ１５は、その開口部２５ａを通じて充電台１の後方に排出された形態となっている。
一方、携帯型コードリーダ２を充電台１から取り出すと、ストラップ導入ステー１６がワイヤー部材の弾性力により水平方向の初期位置に復帰するようになる。
【００２１】
このような実施例によれば、充電台１にストラップ導入ステー１６を設け、携帯型コードリーダ２を充電台１に載置する際に、ストラップ導入ステー１６により携帯型コードリーダ２に取付けられたハンドストラップ１５を受電面部４の一方の端部から他方の端部に誘い出すことにより、携帯型コードリーダ２が充電台１に載置された状態で、ハンドストラップ１５を充電台１のストラップ収納部２５の開口部２５ａを通じて後方に排出するようにしたので、ハンドストラップを充電台に形成した溝部に位置させる従来構成のものに比較して、携帯型コードリーダ２と充電台１との間にハンドストラップが挟まれてしまうことを確実に防止することができる。従って、携帯型コードリーダ２を確実に充電したり、携帯型コードリーダ２と充電台１との間の光通信を確実に実行したりすることができる。
しかも、ストラップ導入ステー１６をワイヤー部材から形成するようにしたので、低コストで容易に実施することができると共に、ストラップ導入ステー１６の小形化及び軽量化を図ることができる。
【００２２】
（第２実施例）
次に、本発明の第２実施例について図７を参照して説明するに、第１実施例と同一部分には同一符号を付して説明を省略し、異なる部分について説明する。この第２実施例は、ストラップ導入ステー１６として、スプリング部材に代えてワイヤー状の鋼材を用いたことを特徴とする。
ストラップ導入ステー１６は線状の鋼材からなり、図７に示すようにその基端部１６ａに重錘３１を取付けることにより初期位置への復元力を与えるようにしている。このストラップ導入ステー１６による作用効果は第１実施例と同一である。
【００２３】
このような実施例によれば、第１実施例と同様に、ストラップ導入ステー１６に初期位置への復元力を与えることができるので、携帯型コードリーダ２の充電台１に対する載置により、ストラップ導入ステー１６の移動に伴って携帯型コードリーダ２に取付けられたハンドストラップ１５を充電台１の外部に誘い出すことができると共に、携帯型コードリーダ２を充電台１から取外した場合は、ストラップ導入ステー１６を初期位置に自動的に復帰させることができる。
【００２４】
（第３実施例）
次に、本発明の第３実施例について図８ないし図１０を参照して説明する。この第３実施例は、ストラップ導入ステー１６によるハンドストラップ１５の誘い出し方向を充電台１の横方向に設定したことを特徴とする。
【００２５】
充電台１の正面を示す図８、充電台１の側面を示す図９、充電台１の平面を示す図１０において、充電台１の載置部１７には、充電台１の横方向に向かって一段低い溝部４１が形成されている。壁面部１８において載置部１７の側方となる側壁面部１８ｃにスリット部４２が形成されている。このスリット部４２は、携帯型コードリーダ２に取付けられたハンドストラップ１５が位置するためのものである。スリット部４２により分断された両側の部位には一段低い段部４３が形成されており、その段部４３に、ストラップ導入ステー１６が設けられている。この実施例では、ストラップ導入ステー１６は、携帯型コードリーダ２が充電台１に載置されるのに伴って先端の移動部１６ｃが充電台１の横方向に移動するもので、携帯型コードリーダ２が充電台１に完全に載置された状態では、携帯型コードリーダ２に取付けられたハンドストラップ１５は、携帯型コードリーダ２の受電面部４と充電台１との間に形成されたストラップ収容部の開口部（何れも図示せず）から横方向に排出された形態となる。
【００２６】
このような実施例によれば、携帯型コードリーダ２に取付けられたハンドストラップ１５を充電台１の横方向に排出することができるので、充電台１の後面を例えば壁面に密着して使用する場合に有効である。
【００２７】
本発明は、上記実施例に限定されることなく、次のように変形または拡張できる。
ストラップ導入ステー１６によるハンドストラップ１５の誘い出し方向としては、充電台１の後方或いは側方に限らず、充電台１の前方となるように構成してもよい。
携帯型コードリーダ２が充電台１に載置されるのに伴って、転動体が携帯型コードリーダの受電面部の一方の端部から他方の端部に転動することにより携帯型コードリーダ２に取付けられたハンドストラップ１５を充電台１の外部に誘い出すようにしてもよい。
本発明を、携帯電話機の充電台に適用するようにしてもよい。
【図面の簡単な説明】
【００２８】
【図１】本発明の第１実施例における携帯型コードリーダの載置過程を順に示す充電台の破断面図
【図２】携帯型コードリーダの載置状態で示す充電台の正面図
【図３】携帯型コードリーダ及び充電台の電気的構成を示す図
【図４】破断して示す充電台の正面図
【図５】破断して示す充電台の側面図
【図６】充電台の平面図
【図７】本発明の第２実施例を示す図５相当図
【図８】本発明の第３実施例を示す充電台の正面図
【図９】充電台の側面図
【図１０】充電台の平面図
【符号の説明】
【００２９】
図面中、１は充電台、２は携帯型コードリーダ（携帯端末）、４は受電面部、５は充電端子、１５はハンドストラップ、１６はストラップ導入ステー（移動手段）、１６ｂは回動支持部、１６ｃは移動部、２５はストラップ収容部、２５ａは開口部である。
【図１】
2007060823.tif 000003
【図２】
2007060823.tif 000004
【図３】
2007060823.tif 000005
【図４】
2007060823.tif 000006
【図５】
2007060823.tif 000007
【図６】
2007060823.tif 000008
【図７】
2007060823.tif 000009
【図８】
2007060823.tif 000010
【図９】
2007060823.tif 000011
【図１０】
2007060823.tif 000012